(57)【特許請求の範囲】
【請求項１】
解放可能な係合で相互連結することができる玩具組付け要素セット用の組付け要素であって、
頂部（１１）、底部（１２）および側壁（１３、６３、７１、９１、９６、１０３）を含み、
少なくとも一つの側壁は、所定の支配幅の入口開口およびこれより大きい幅のベース領域（２０）を有する少なくとも一つの溝部（１８、６８、７２、１０８）を含み、
少なくとも一つの側壁は、窪み部分（２２）および末端部分（２３）を有する少なくとも一つの舌片（１９、６９、７３、１０９）を含み、ここでこの末端部分は、窪み部分の幅より大きく且つ溝部入口開口の所定支配幅よりも大きい支配幅を有して、別の前記組付け要素の側壁の前記溝部と、この溝部のベース領域内に位置する舌片の末端部分を介して解放可能な拘束係合で相互連結され、
舌片は可撓性で長手方向へ二つの平行セクション（１９’）に分離され、各々のセクションは舌片の窪み部分の部分と末端部分の部分とを含み、これにより舌片の窪み部分及び末端部分は横方向へ圧縮されることができて、舌片が別の前記組付け要素の前記溝部内へ前方から押圧されることにより前記拘束係合が達成され、
舌片の前記窪み部分（２２）の非圧縮幅は、舌片の末端部分（２３）が溝部のベース領域内に位置する際における、舌片の前記窪み部分に隣接する溝部部分の支配幅よりも大きく、これにより舌片の前記窪み部分が、溝部の前記隣接部分を画定する側壁の部分の間に圧縮されそしてこれにより溝部の前記隣接部分を画定する側壁の部分と摩擦係合されるように設定されることを特徴とする組付け要素。
【請求項２】
舌片の末端部分（２３）が溝部（１８）のベース領域（２０）に位置する際に舌片（１９）の前記圧縮によって負荷される前記摩擦係合の度合は、一方の係合組付け要素対の舌片が他方の係合組付け要素対の溝部内で円滑に滑動されることにより係合組付け要素対の固定的相対配置が正確に変動され得るように、また更に前記一方の係合組付け要素対がその係合された側壁（１３）の頂部を前記他方の係合組付け要素対の係合された側壁の頂部よりも高い高さに配置された際に前記固定的相対配置を維持するよう前記滑動に充分な抵抗が供給されるように設定されることを特徴とする請求項１記載の組付け要素。
【請求項３】
舌片（１９）の窪み部分及び末端部分（２３）が横方向へ圧縮されることができ、組付け要素が別の前記組付け要素から前方へ引っ張られることにより舌片が別の前記組付け要素の前記溝部（１８）から解放され、
入口開口に隣接して、溝部は、入口角度で外向きに傾斜する少なくとも一つの側壁（１３）の第一部分（３１）と、少なくとも一つの側壁の実質的解放面（３３）に関して入口角度よりは小さい拘束角度で内向きに傾斜する少なくとも一つの側壁の第二部分（３２）とを含むことを特徴とする請求項１記載の組付け要素。
【請求項４】
拘束角度が入口角度より充分に小さく、これにより、舌片（１９）を別の前記組付け要素の前記溝部（１８）内へ前方から押圧することによる前記拘束係合の達成に要する力が、組付け要素を別の前記組付け要素から前方へ引っ張ることによる前記解放の達成に要する力よりも実質的に小さくなることを特徴とする請求項３記載の組付け要素。
【請求項５】
溝部（１８）は、更に、少なくとも一つの側壁（１３）の第三部分（３４）であって、少なくとも一つの側壁の第一部分（３１）よりは溝部の外側端縁部（３５）に近接すると共に少なくとも一つの側壁の実質的解放面（３３）に関して入口角度よりも小さい位置決め角度で外向きに傾斜する第三部分を含むことを特徴とする請求項３記載の組付け要素。
【請求項６】
舌片が別の前記組付け要素の前記溝部（１８）内へ前方から押圧される際に少なくとも一つの側壁（１３）の第一部分（３１）に最初に接触される舌片（１９）の部分（３７）が、入口角度の略余角で傾斜されることを特徴とする請求項３記載の組付け要素。
【請求項７】
舌片が別の前記組付け要素の前記溝部（１８）内へ係合押圧される際に少なくとも一つの側壁（１３）の第二部分（３２）に隣接される舌片（１９）の部分（３８）が、拘束角度の余角と少なくとも一つの側壁の実質的解放面（３３）に関するゼロ度との間の範囲の角度で傾斜されることを特徴とする請求項３記載の組付け要素。
【請求項８】
舌片（１９）の窪み部分及び末端部分（２３）が横方向へ圧縮されることができ、組付け要素が別の前記組付け要素から前方へ引っ張られることにより舌片（１９）が別の前記組付け要素の前記溝部（１８）から解放され、
入口開口に隣接して、溝部が、拘束角度で内向きに傾斜されて溝部のベース領域（２０）を画定する少なくとも一つの側壁（１３）の部分（３２）によって画定され、
舌片が別の前記組付け要素の前記溝部内へ前方から押圧される際に少なくとも一つの側壁の部分に入口開口で最初に接触する舌片の部分（３７）が、略第一角度で外向きに傾斜され、
舌片の末端部分が別の前記組付け要素の前記溝部のベース領域内へ係合される際に、少なくとも一つの側壁の内向き傾斜部分に隣接する舌片の部分（３８）が、少なくとも一つの側壁の実質的解放面（３３）に関する第一角度より小さい第二角度で内向きに傾斜されることを特徴とする請求項１記載の組付け要素。
【請求項９】
第二角度は第一角度より充分に小さく、これにより、舌片（１９）を別の前記組付け要素の前記溝部（１８）内へ前方から押圧することによる前記拘束係合の達成に要する力が、組付け要素を別の前記組付け要素から前方へ引っ張ることによる前記解放の達成に要する力よりも実質的に小さくなることを特徴とする請求項８記載の組付け要素。
【請求項１０】
入口開口に隣接して、溝部（１８）が、入口角度で外向きに傾斜される少なくとも一つの側壁（１３）の第一部分（３１）と、少なくとも一つの側壁の実質的解放面（３３）に関して入口角度より小さい拘束角度で内向きに傾斜される少なくとも一つの側壁の第二部分（３２）とによって画定され、
拘束角度は入口角度より充分に小さく、これにより、舌片を別の前記組付け要素の前記溝部内へ前方から押圧することによる前記拘束係合の達成に要する力が、組付け要素を別の前記組付け要素から前方へ引っ張ることによる前記解放の達成に要する力よりも実質的に小さくなることを特徴とする請求項８記載の組付け要素。
【請求項１１】
入口開口に隣接して、溝部（１８）が、入口角度で外向きに傾斜される少なくとも一つの側壁（１３）の第一部分（３１）と、少なくとも一つの側壁の実質的解放面（３３）に関して入口角度より小さい拘束角度で内向きに傾斜される少なくとも一つの側壁の第二部分（３２）とによって画定され、
拘束角度は入口角度より充分に小さくおよび第二角度は第一角度より充分に小さく、これにより、舌片を別の前記組付け要素の前記溝部内へ前方から押圧することによる前記拘束係合の達成に要する力が、組付け要素を別の前記組付け要素から前方へ引っ張ることによる前記解放の達成に要する力よりも実質的に小さくなることを特徴とする請求項８記載の組付け要素。
【請求項１２】
少なくとも一つの舌片（１９）を含む前記側壁（１３）は、凹部（４３）を有し、舌片は凹部の底部から外向きに延在されることを特徴とする請求項１記載の組付け要素。
【請求項１３】
頂部は第一形式の結合手段（７５）を含み、底部は別の前記組付け要素上の前記第一形式の結合手段と解放可能な摩擦係合で相互連結するための第二形式の結合手段を含み、
少なくとも一つの側壁（７１）と隣接する別の少なくとも一つの側壁は互いに斜角で配置され、そして前記斜角配置の少なくとも一つの側壁が少なくとも一つの前記溝部（７２）および少なくとも一つの前記舌片（７３）を含むことを特徴とする請求項１記載の組付け要素。
【請求項１４】
側壁（７１）は八角形を画定し、各側壁は少なくとも一つの前記溝部（７２）と少なくとも一つの前記舌片（７３）を含むことを特徴とする請求項１３記載の組付け要素。
【請求項１５】
頂部は第一形式の結合手段（１０４）を含み、底部は別の前記組付け要素上の前記第一形式の結合手段と解放可能な摩擦係合で相互連結するための第二形式の結合手段（１０５）を含み、
複数の側壁（１０３）の各々が複数の前記溝部（１０８）および複数の前記舌片（１０９）を含むことを特徴とする請求項１記載の組付け要素。
【請求項１６】
少なくとも一つの側壁（６３、８３）は少なくとも一つの前記溝部（６８、８８）を含み、少なくとも一つの側壁と隣接する別の少なくとも一つの側壁は少なくとも一つの前記舌片（６９、８９）を含み、前記少なくとも一つの側壁（６３、８３）と隣接する前記別の少なくとも一つの側壁は互いに斜角に配置されることを特徴とする請求項１記載の組付け要素。
【請求項１７】
側壁（６３）は八角形を画定し、少なくとも一つの側壁は前記溝部（６８）を含むが舌片（６９）は含まず、少なくとも一つの側壁と隣接する別の少なくとも一つの側壁は前記舌片（６９）を含むが溝部（６８）は含まないことを特徴とする請求項１６記載の組付け要素。
【請求項１８】
側壁（９１）は三つの斜角を有する三角形を画定し、前記斜角に配置された少なくとも一つの側壁（９１）が、少なくとも一つの前記溝部および少なくとも一つの前記舌片を含むことを特徴とする請求項１記載の組付け要素。
【請求項１９】
側壁（９６）は四つの斜角を有する四面の平行四辺形を画定し、少なくとも一つの側壁は少なくとも一つの前記溝部および少なくとも一つの前記舌片を含むことを特徴とする請求項１記載の組付け要素。
【請求項２０】
解放可能な拘束係合で側部対側部を相互連結することができる玩具組付け要素セットであって、
請求項１６記載の第一組付け要素と、
四角形を画定している頂部（１１）、底部（１２）および側壁（１３）からなる請求項１記載の第二組付け要素とからなり、
第二組付け要素は少なくとも一つの側壁が少なくとも一つの前記溝部および少なくとも一つの前記舌片を含むことを特徴とする玩具組付け要素セット。
【請求項２１】
解放可能な拘束係合で側部対側部を相互連結することができる玩具組付け要素セットであって、
請求項１７記載の少なくとも四つの第一組付け要素と、
四角形を画定している頂部、底部および側壁（８３）からなる少なくとも一つの請求項１記載の第二組付け要素とからなり、
第二組付け要素の二つの対向配置側壁のそれぞれは、一つの溝部（８８）を含み、
第二組付け要素の別の二つの対向配置側壁のそれぞれは、少なくとも一つの舌片（８９）を含み、
第二組付け要素は、閉塞スペースを画定するよう相互連結される四つの第一組付け要素の間の前記スペース内に配置されるよう寸法付けられていることを特徴とする玩具組付け要素セット。
【請求項２２】
解放可能な拘束係合で側部対側部を相互連結することができる玩具組付け要素セットであって、
請求項１４記載の第一組付け要素と、
四角形を画定している頂部（１１）、底部（１２）および側壁（１３）からなる請求項１記載の第二組付け要素とからなり、
第二組付け要素は少なくとも一つの側壁が少なくとも一つの前記溝部および少なくとも一つの前記舌片を含むことを特徴とする玩具組付け要素セット。
【請求項２３】
解放可能な拘束係合で側部対側部を相互連結することができる玩具組付け要素セットであって、
少なくとも一つの側壁（６３、９１、９６）は少なくとも一つの前記溝部（６８）を含み、少なくとも一つの側壁と隣接する別の少なくとも一つの側壁は少なくとも一つの前記舌片（６９）を含み、前記少なくとも一つの側壁と隣接する前記別の少なくとも一つの側壁が互いに斜角に配置される請求項１記載の組付け要素を複数含み、
前記一つの側壁（６３）対が第一斜角で互いに配置される八角形で画定された第一組付け要素（６０）と、
前記一つの側壁（９１、９６）対が第一斜角とは異なる第二斜角で互いに配置される三角形または平行四辺形で画定された第二組付け要素（９０、９５）とからなることを特徴とする玩具組付け要素セット。
【発明の詳細な説明】
【０００１】
発明の背景
本発明は、一般には組立て玩具に係り、詳細には玩具組付け要素セット用の改良された組付け要素に指向される。
【０００２】
玩具組付け要素の従来技術の例は、欧州特許第０，７６６，５８５号公報、米国特許第２，１３２，７５７号；同第３，１９５，２６６号；同第３，３７４，９１７号；同第３，７４５，７３６号；同第５，５２７，２０１号；同第５，６５３，６２１号；同第５，７９５，２１０号および同第５，８２５，３９５号の各公報、国際出願公開ＷＯ９８／３５７３５号公報およびドイツ国公開特許第２，１０５，５６８号公報に開示されている。
ＷＯ９８／３５７３５号公報には、解放可能な係合で相互連結することができる玩具組付け要素セット用の組付け要素であって、頂部、底部および側壁を含み；第一の対向配置側壁対は、それぞれ、所定の支配幅の入口開口およびこれより大きい幅のベース領域を有する受部を含み；別の対向配置側壁対は、それぞれ、窪み部分および末端部分を有するペグを含み、ここでこの末端部分は、窪み部分の幅より大きく且つ受部入口開口の所定支配幅よりも大きい支配幅を有して、別の前記組付け要素の側壁の前記受部と、この受部のベース領域内に位置するペグの末端部分を介して解放可能な拘束係合で相互連結される組付け要素が開示されている。
米国特許第５，５２７，２０１号公報には、組付け要素の側壁上に形成された舌片および溝部を有する玩具組付け要素であって、溝部はそれぞれ所定の支配幅の入口開口およびこれより大きい幅のベース領域を有し；舌片はそれぞれ窪み部分および末端部分を有し、ここでこの末端部分は、窪み部分の幅より大きく且つ溝部入口開口の所定支配幅よりも大きい支配幅を有して、別の前記組付け要素の側壁の前記溝部と、この溝部のベース領域内に位置する舌片の末端部分を介して解放可能な拘束係合で相互連結され；舌片は可撓性で長手方向へ二つの平行セクションに分離され、これにより舌片は横方向へ圧縮されることができて、舌片が別の前記組付け要素の前記溝部内へ前方から押圧されることにより前記拘束係合が達成される玩具組付け要素が開示されている。
【０００３】
発明の概要
一態様によれば、本発明は、解放可能な係合で相互連結することができる玩具組付け要素セット用の組付け要素であって、頂部、底部および側壁を含み；少なくとも一つの側壁は、所定の支配幅の入口開口およびこれより大きい幅のベース領域を有する少なくとも一つの溝部を含み；少なくとも一つの側壁は、窪み部分および末端部分を有する少なくとも一つの舌片を含み、ここでこの末端部分は、窪み部分の幅より大きく且つ溝部入口開口の所定支配幅よりも大きい支配幅を有して、別の前記組付け要素の側壁の前記溝部と、この溝部のベース領域内に位置する舌片の末端部分を介して解放可能な拘束係合で相互連結され；舌片は可撓性で長手方向へ二つの平行セクションに分離され、各々のセクションは舌片の窪み部分の部分と末端部分の部分とを含み、これにより舌片の末端部分は横方向へ圧縮されることができて、舌片が別の前記組付け要素の前記溝部内へ前方から押圧されることにより前記拘束係合が達成され；一つの前記舌片部分の非圧縮幅は、舌片の末端部分が溝部のベース領域内に位置する際における、舌片の前記一部分に隣接する溝部部分の支配幅よりも大きく、これにより舌片の前記一部分が、溝部の前記隣接部分を画定する側壁部分の間に圧縮されそしてこれにより摩擦係合されるように設定されることを特徴とする組付け要素を提供する。
【０００４】
好適には、舌片の末端部分が溝部のベース領域に位置する際に舌片の前記圧縮によって負荷される前記摩擦係合の度合は、一方の係合組付け要素対の舌片が他方の係合組付け要素対の溝部内で円滑に滑動されることにより係合組付け要素対の固定的相対配置が正確に変動され得るように、また更に前記一方の係合組付け要素対がその係合された側壁の頂部を前記他方の係合組付け要素対の係合された側壁の頂部よりも高い高さに配置された際に前記固定的相対配置を維持するよう前記滑動に充分な抵抗が供給されるように設定される。
【０００５】
別の態様によれば、本発明は、解放可能な係合で相互連結することができる玩具組付け要素セット用の組付け要素であって、頂部、底部および側壁を含み；少なくとも一つの側壁は、所定の支配幅の入口開口およびこれよりも大きい幅のベース領域を有する少なくとも一つの溝部を含み；少なくとも一つの側壁は、窪み部分および末端部分を有する少なくとも一つの舌片を含み、ここでこの末端部分は、窪み部分の幅よりも大きく且つ溝部入口開口の所定支配幅よりも大きい支配幅を有して、別の前記組付け要素の側壁の前記溝部と、この溝部のベース領域内に位置する舌片の末端部分を介し解放可能な拘束係合で相互連結され；舌片は可撓性で且つ長手方向へ二つの平行セクションに分離され、その各々は舌片の窪み部分の部分と末端部分の部分とを含み、これによりこの舌片の末端部分が横方向へ圧縮されることができて、舌片が別の前記組付け要素の前記溝部内へ前方から押圧されることにより前記拘束係合が達成されると共に組付け要素が別の前記組付け要素から前方へ引張られることにより舌片が別の前記組付け要素の前記溝部から解放され；入口開口に隣接して溝部は入口角度で外向きに傾斜する少なくとも一つの側壁の第一部分と、少なくとも一つの側壁の実質的解放面に関して入口角度よりは小さい拘束角度で内向きに傾斜する少なくとも一つの側壁の第二部分とによって画定されることを特徴とする組付け要素を提供する。
【０００６】
更に別の態様によれば、本発明は、解放可能な係合で相互連結することができる玩具組付け要素セット用の組付け要素であって、頂部、底部および側壁を含み；少なくとも一つの側壁は、所定の支配幅の入口開口およびこれよりも大きい幅のベース領域を有する少なくとも一つの溝部を含み；少なくとも一つの側壁は、窪み部分および末端部分を有する少なくとも一つの舌片を含み、ここでこの末端部分は、窪み部分の幅よりも大きく且つ溝部入口開口の所定支配幅よりも大きい支配幅を有して、別の前記組付け要素の側壁の前記溝部と、この溝部のベース領域内に位置する舌片の末端部分を介し解放可能な拘束係合で相互連結され；舌片は可撓性で且つ長手方向へ二つの平行セクションに分離され、その各々は舌片の窪み部分の部分と末端部分の部分とを含み、これによりこの舌片の末端部分が横方向へ圧縮されることができて、舌片が別の前記組付け要素の前記溝部内へ前方から押圧されることにより前記拘束係合が達成されると共に組付け要素が別の前記組付け要素から前方へ引張られることにより舌片が別の前記組付け要素の前記溝部から解放され；入口開口に隣接して溝部が拘束角度で内向きに傾斜されて溝部のベース領域を画定する少なくとも一つの側壁の部分によって画定され；舌片が別の前記組付け要素の前記溝部内へ前方から押圧される際に少なくとも一つの側壁の部分に入口開口で最初に接触する舌片の部分が、略第一角度で外向きに傾斜され；舌片の末端部分が別の前記組付け要素の前記溝部のベース領域内へ係合される際に、少なくとも一つの側壁の内向き傾斜部分に隣接する舌片の部分が、少なくとも一つの側壁の実質的解放角度に関する第一角度より小さい第二角度で内向きに傾斜されることを特徴とする組付け要素を提供する。
【０００７】
また更に別の態様によれば、本発明は、解放可能な係合で相互連結することができる玩具組付け要素セット用の組付け要素であって、頂部、底部および側壁を含み；少なくとも一つの側壁は、所定の支配幅の入口開口を有する少なくとも一つの溝部を含み；少なくとも一つの側壁は末端部分を有する少なくとも一つの舌片を含み、ここでこの末端部分は、溝部入口開口の所定支配幅よりも大きい支配幅を有して、別の前記組付け要素の前記溝部と解放可能な拘束係合で相互連結され；少なくとも一つの舌片を含む前記側壁は舌片に隣接する凹部を含む基準面を有し、これにより舌片が基準面の下方から外向きに延在されることを特徴とする組付け要素を提供する。
【０００８】
また更に別の態様によれば、本発明は、解放可能な係合で相互連結することができる玩具組付け要素セット用の組付け要素であって、頂部、底部および側壁を含み；頂部は第一形式の結合手段を含み、一方底部は、別の前記組付け要素上の前記第一形式の結合手段と解放可能な摩擦係合で相互連結するための第二形式の結合手段を含み；少なくとも一つの側壁は、所定の支配幅の入口開口を有する少なくとも一つの溝部を含み；少なくとも一つの側壁は末端部分を有する少なくとも一つの舌片を含み、ここでこの末端部分は、溝部入口開口の所定支配幅よりも大きい支配幅を有して、別の前記組付け要素の前記溝部と解放可能な拘束係合で相互連結され；舌片は可撓性で且つ長手方向へ分離され、これによりこの舌片は横方向へ圧縮されることができて、舌片が別の前記組付け要素の前記溝部内へ前方から押圧されることにより前記拘束係合が達成され；少なくとも一つの隣接側壁対は互いに斜角で配置され、そして前記斜角配置の隣接対の各々が少なくとも一つの前記溝部および少なくとも一つの前記舌片を含むことを特徴とする組付け要素を提供する。
【０００９】
付加的な態様によれば、本発明は、解放可能な係合で相互連結することができる玩具組付け要素セット用の組付け要素であって、頂部、底部および側壁を含み；頂部は第一形式の結合手段を含み、一方底部は、別の前記組付け要素上の前記第一形式の結合手段と解放可能な摩擦係合で相互連結するための第二形式の結合手段を含み；少なくとも一つの側壁は、所定の支配幅の入口開口を有する少なくとも一つの溝部を含み；少なくとも一つの側壁は末端部分を有する少なくとも一つの舌片を含み、ここでこの末端部分は、溝部入口開口の所定支配幅よりも大きい支配幅を有して、別の前記組付け要素の前記溝部と解放可能な拘束係合で相互連結され、舌片は可撓性で且つ長手方向へ分離され、これによりこの舌片は横方向へ圧縮されることができて、舌片が別の前記組付け要素の前記溝部内へ前方から押圧されることにより前記拘束係合が達成され；および複数の側壁の各々が複数の前記溝部および複数の前記舌片を含むことを特徴とする組付け要素を提供する。
更に付加的な態様によれば、本発明は、解放可能な係合で相互連結することができる玩具組付け要素セット用の組付け要素であって、頂部、底部および側壁を含み；少なくとも一つの側壁は、所定の支配幅の入口開口およびこれより大きい幅のベース領域を有する少なくとも一つの溝部を含み；少なくとも一つの側壁は末端部分を有する少なくとも一つの舌片を含み、ここでこの末端部分は、溝部入口開口の所定支配幅よりも大きい支配幅を有して、別の前記組付け要素の前記溝部と解放可能な拘束係合で相互連結され；少なくとも一つの溝部の少なくとも一つの舌片および／または入口開口は可撓性であり、これにより舌片が別の前記組付け要素の前記溝部内へ前方から押圧されることにより前記拘束係合が達成され；および側壁の一つの隣接対は少なくとも一つの前記溝部を含み別の隣接対は少なくとも一つの前記舌片を含みそしてこの隣接対が互いに斜角で配置される組付け要素において；（ａ）側壁の前記斜角配置の隣接対の各々が少なくとも一つの前記溝部および少なくとも一つの前記舌片を含み；または（ｂ）側壁は八角形を画定し、各第一セットの各第二側壁は前記溝部を含むが舌片は含まず、および各第二セットの各第二側壁は、前記溝部を含むが舌片は含まない第一セットの側壁の間に配置され；または（ｃ）側壁は八角形を画定し、および各側壁は少なくとも一つの前記溝部と少なくとも一つの前記舌片を含み；または（ｄ）側壁は四つの斜角を有する四面の平行四辺形を画定し、そして少なくとも一つの側壁は少なくとも一つの前記溝部を含みおよび少なくとも一つの側壁は少なくとも一つの前記舌片を含むことを特徴とする組付け要素を提供する。
更に別の態様によれば、本発明は、解放可能な拘束係合で側部対側部を相互連結することができる玩具組付け要素セットであって、先行パラグラフで規定される第一組付け要素と；第二組付け要素であって、頂部、底部および側壁は四角形を画定し；第二組付け要素の少なくとも一つの側壁は、所定の支配幅の入口開口およびこれより大きい幅のベース領域を有する少なくとも一つの溝部を含み；第二組付け要素の少なくとも一つの側壁は、末端部分を有する少なくとも一つの舌片を含み、ここでこの末端部分は、第一および第二組付け要素の溝部入口開口の所定支配幅よりも大きい支配幅を有して、第一組付け要素または別の前記第二組付け要素のいずれかの前記溝部と解放可能な拘束係合で相互連結され；第二組付け要素の一つの隣接側壁対は少なくとも一つの前記溝部を含み、別の隣接対は少なくとも一つの前記舌片を含む、第二組付け要素とからなることを特徴とする玩具組付け要素セットを提供する。
また更に別の態様によれば、本発明は、解放可能な拘束係合で側部対側部を相互連結することができる玩具組付け要素セットであって、第一組付け要素および第二組付け要素がそれぞれ頂部、底部および側壁を含み；少なくとも一つの側壁は、所定の支配幅の入口開口およびこれより大きい幅のベース領域を有する少なくとも一つの溝部を含み；少なくとも一つの側壁は末端部分を有する少なくとも一つの舌片を含み、ここでこの末端部分は、溝部入口開口の所定支配幅よりも大きい支配幅を有して、別の前記組付け要素の前記溝部と解放可能な拘束係合で相互連結され；少なくとも一つの溝部の少なくとも一つの舌片および／または入口開口は可撓性であり、これにより舌片が別の前記組付け要素の前記溝部内へ前方から押圧されることにより前記拘束係合が達成され；側壁の一つの隣接対は少なくとも一つの前記溝部を含み別の隣接対は少なくとも一つの前記舌片を含みそしてこの隣接対が互いに斜角で配置され；第一組付け要素においては、前記一つの隣接側壁対が第一斜角で互いに配置され；第二組付け要素においては、前記一つの隣接側壁対が、第一斜角とは異なる第二斜角で互いに配置されることを特徴とする玩具組付け要素セットを提供する。
【００１０】
本発明の付加的特徴は、好適実施例の詳細な説明を参照して述べられる。
【００１１】
詳細な説明
図１乃至図３を参照すると、本発明に係る組付け要素１０の好適実施例は、頂部１１、底部１２および四側壁１３を含む。組付け要素１０の頂部１１は円筒状突出部１４を含みまた組付け要素１０の底部１２は開放されている。四側壁１３は方形を画定する。
【００１２】
組付け要素１０の内面は、組付け要素１０の開放底部１２からアクセス可能なリブ１５を含む。このリブ１５は、各内側側壁１６の中央部から直角方向内側へ延在することにより、別のこの種組付け要素１０の頂部上の突出部１４と開放可能な摩擦係合で相互連結される。
【００１３】
各側壁１３は、図４および図５に示すように、一つの溝部１８および一つの舌片１９であって、一つの組付け要素１０上の舌片１９が別のこの種組付け要素１０の溝部１８内に開放可能な拘束係合で位置され得るような寸法の一つの溝部１８および一つの舌片１９を含む。図６を参照すると、各溝部１８は、所定の支配幅(predominant width) Ｗ1 の入口開口とこれより大きい幅Ｗ2 のベース領域２０とを有する。入口開口２０の支配幅Ｗ1 は、組付け要素１０の頂部１１および底部１２間の長さの溝部１８を支配する溝部１８の最小幅Ｗ1 である。
【００１４】
図６を更に参照すると、各舌片は窪み中間部分２２および末端部分２３を有する。末端部分２３は、中間窪み部分２２の幅Ｗ4 よりも大きく且つ溝部入口開口の所定支配幅Ｗ1 よりも大きい支配幅Ｗ3 を有して、別のこの種組付け要素１０の側壁１３の溝部１８と開放可能な拘束係合で相互連結されることにより、図４および図５に示すように、舌片の末端部分２３を溝部１８のベース領域２０内に位置される。末端部分２３の支配幅Ｗ3 は、組付け要素１０の頂部１１および底部１２間の長さの舌片１９を支配する末端部分２３の最大幅Ｗ3 である。
【００１５】
舌片１９は、可撓性で長手方向に分離された二つの平行セクション１９′からなる。舌片の各平行セクション１９′は舌片１９の窪み中間部分２２の部分と末端部分２３の部分とを含み、これにより舌片１９の末端部分２３が横方向へ圧縮されることができて、舌片１９が別の組付け要素１０の溝部１８内へ前方から押圧されることによりこの溝部１８内に拘束係合される。
【００１６】
溝部１８および舌片１９の相対寸法は、舌片の末端部分が溝部のベース領域に位置する際に、舌片の部分が、溝部１８に隣接する側壁１３のある部分の間に圧縮されそしてこれにより摩擦係合されるように設定される。舌片１９の末端部分２３が溝部１８のベース領域２０に位置する際に舌片１９の圧縮によって負荷される摩擦係合の度合は、一方の係合組付け要素１０対の舌片１９が他方の係合組付け要素１０対の溝部１８内で円滑に滑動されることにより係合組付け要素１０対の固定的相対配置が正確に変動され得るように、また更に一方の係合組付け要素対がその係合された側壁１３の頂部を他方の係合組付け要素１０対の係合された側壁１３の頂部よりも高い高さに配置された際に固定的相対配置を維持するよう前記滑動に充分な抵抗が供給されるように設定される。
【００１７】
一好適実施例においては、図４に示すように、舌片１９の窪み中間部分２２の非圧縮幅Ｗ4 は（図６に示すように）溝部入口開口の支配幅Ｗ1 よりも大きく、従って舌片の末端部分２３が溝部のベース領域２０に位置する際は、舌片の両平行セクション１９′の窪み中間部分２２が、溝部入口開口に隣接する側壁の部分２５の間に圧縮されそしてこれにより摩擦係合される。
【００１８】
別の好適実施例においては、図５に示すように、舌片１９の末端部分２３の非圧縮幅Ｗ3 は（図６に示すように）溝部１８のベース領域２０の幅Ｗ2 よりも大きく、従って舌片１９の末端部分２３がベース領域２０に位置する際は、舌片の両平行セクション１９′の末端部分２３が、ベース領域２０に隣接する側壁の部分２６の間に圧縮されそしてこれにより摩擦係合される。
【００１９】
舌片１９の圧縮は、また、組付け要素１０を別のこの種組付け要素１０から前方へ引っ張ることにより、この舌片１９を前記別の組付け要素１０の溝部１７から解放することを可能とする。舌片１９のこのような圧縮は、また更に、組付け要素１０を別の組付け要素１０から捩じることにより、この舌片１９を前記別の組付け要素１０の溝部１８から解放することを可能とする。舌片１９は、また更に、この舌片１９を別の組付け要素１０の溝部１８の一端部内へまたはこれから滑動させることにより、別のこの種組付け要素１０の溝部１８に係合またはこれから解放されることができる。
【００２０】
図６を参照すると、溝部１８は、入口角度ａで外向きに傾斜される側壁第一部分３１と、側壁の実質的解放面(broad surface) ３３に対して入口角度ａよりは小さい拘束角度ｂで内向きに傾斜される側壁第二部分３２とから画定されており、従って舌片１９を別のこの種組付け要素１０の溝部１８内へ前方から押圧係合させる所要力は、組付け要素１０を別の組付け要素１０から前方へ引っ張り解放する所要力よりも小さいことが分かる。
【００２１】
溝部１８は、更に、側壁第一部分３１よりも溝部１８の外側端縁部３５に近接する側壁第三部分３４で画定され、そしてこの第三部分３４は、側壁の実質的解放面３３に対して入口角度ａよりは小さい位置決め角度ｃで外向きに傾斜されることにより、舌片１９の末端部分２３の溝部１８入口開口に対する位置決めを促進する。
【００２２】
図６を更に参照すると、舌片１９の部分３７であって、舌片１９が前方から溝部１８内へ押圧された際に側壁の第一部分３１に最初に接触する部分３７が、入口角度ａの略余角で傾斜されていることが分かる。
【００２３】
図４および図５を参照すると、舌片１９の末端部分２３が溝部１８のベース領域２０内に係合される際に少なくとも一つの側壁の第二部分３２に隣接する舌片１９の部分３８が、側壁の全幅（すなわち、実質的解放面３３）に対して極めて小さな角度で傾斜されていることが分かる。この角度は、拘束角度ｂの余角と側壁の全幅に対するゼロ度との間の範囲内であることができる。
【００２４】
分離舌片１９の平行セクション１９′の少なくとも一方、好適には双方が、図４、図５および図６に示すような断面輪郭を有し、すなわち、末端部分２３は舌片１９の非圧縮幅Ｗ3 の一端部へ向けて横方向へに延在し、窪み中間部分２２は、図４および図５に示すように、舌片１９が溝部１８に係合される際に溝部１８の入口開口の一側部へ向けて略横方向へ延在し、そして外側へ延在された更なる窪み部分４１は、舌片セクション１９′の可撓性を向上すべく窪み中間部分２２の幅よりも狭く形成されている。代案実施例（不図示）においては、（１）別の舌片セクション１９′に対面する更なる窪み部分４１の側部が、図４、図５および図６に窪みとして示されている更なる窪み部分４１の側部よりもむしろ窪まれており、または（２）窪み部分４１の側部は両側とも更には窪まれず、別の舌片セクション１９′に対向する窪み部分２２、４１および末端部分２３のそれぞれの横方向延在が、分離舌片セクション１９′に対する所要の可撓性を付与すべく減少されている。
【００２５】
好適には、舌片１９の端縁部および端部は丸められていて、一つの組付け要素１０を別のこの種組付け要素１０と相互連結する際にこの一つの組付け要素１０の舌片１９が別の組付け要素１０の溝部１８内へ前方から押圧されることに係わる子供の指の感触を和らげている。
【００２６】
図２を参照すると、側壁１３は（同じく図４、図５および図６にも示すように）舌片セクション１９′に隣接する凹部４３を含む基準面(primary surface) ４２を有し、従って舌片セクション１９′は、基準面４２の下側から外側へ延在されることにより側壁１３の基準面４２に対してはそれ程外側へ延在される必要はない。さもなければ、舌片セクション１９′のベースから外側へ所定長さを延在されることによって所要の可撓度を達成されなければならない。代案実施例（不図示）では、舌片セクション１に隣接するこの種の凹部は含まれない。
【００２７】
溝部１８、舌片１９および凹部４３は、組付け要素１０の頂部１１および底部の間を垂直に延在する。一好適実施例では、図７に示すように、溝部１８、舌片１９および凹部４３は、組付け要素１０の頂部１１および／または底部１２までの全体を垂直に延在するが、しかしながら舌片１９の端部４７は、舌片１９の支配部分が側壁１３の基準面４２に対して外側へ延在する程には、側壁１３の基準面４２に対して外側へ延在することはなく、また舌片１９の端部４７の幅は、溝部入口開口の所定支配幅Ｗ1 よりは大きくない。この形状は、舌片１９を溝部１８の端部へ滑動する際の組付け要素１０の相互連結の始動を容易にする。舌片１９を溝部１８の端部へ滑動することによって達成される組付け要素１０の相互連結始動は、また、溝部１８入口開口の端部４６幅が溝部入口開口の所定支配幅Ｗ1 より大きいことによっても容易にされる。
【００２８】
好適な代案実施例においては、図８に示すように、溝部１８および凹部４３は組付け要素１０の頂部１１および／または底部１２までの全体を垂直に延在するが、しかしながら舌片１９はそうではなくて組付け要素１０の頂部１１および／または底部１２に隣接するステップ４４を提供し、そしてこのステップが、舌片１９を溝部１８の端部へ滑動することによる組付け要素１０の相互連結の始動における、一つの組付け要素の側壁１３の別の組付け要素の側壁１３に対するより近接した位置決めを容易にする。また、舌片１９の端部４９の幅は、図７に示すように、溝部入口開口の所定支配幅Ｗ1 よりは大きくない。別の態様において、図８の代案好適実施例は、図１乃至図７を参照して上述したと同じ特徴を含むことができる。
【００２９】
本発明に係る組付け要素の代案実施例においては、図９に部分的に示すように、溝部１８は側壁の可撓性の部分５１から形成され、これにより溝部１８の入口開口は、舌片１９が前方から溝部１８内へ押圧される際に係合を容易にするよう横方向へ拡張されることができる。側壁は、溝部１８を画定する側壁部分５１に隣接する凹部５３を含む基準面４２を有し、従って可撓性部分５１は基準面４２の下側へ延在されることにより基準面４２に対してはそれ程外側へ延在される必要はない。さもなければ、側壁の溝部画定可撓性部分５１のベースから外側へ所定長さを延在されることによって所要の可撓度を達成されなければならない。代案実施例（不図示）では、側壁の溝部画定可撓性部分に隣接するこの種の凹部５３は含まれない。別の態様の、図９に示す代案好適実施例は、図１乃至図９を参照して上述したと同じ特徴を含むことができる。
【００３０】
図１０乃至図１２を参照すると、本発明に係る別の好適実施例の組付け要素６０は、頂部６１、底部６２および八つの側壁６３を含む。組付け要素６０の頂部６１は円筒状突出部６４を含みまた組付け要素６０の底部６２は開放されている。
【００３１】
組付け要素６０の内面は、組付け要素６０の開放底部６２からアクセス可能なリブ６５を含む。このリブ６５は、均等に離間された四つの内側側壁６６の中央部から直角方向内側へ延在することにより、別のこの種組付け要素６０の頂部上の突出部６４と開放可能な摩擦係合で相互連結される。
【００３２】
八つの側壁６３は一面的(unilateral)な八角形を画定し、すなわち、各第二側壁の各第一セットは溝部６８は含むが舌片６９は含まず、一方、第一セットの側壁の間に位置する各第二側壁の各第二セットは舌片６９は含むが溝部６８は含まない。従って、各側壁６３はこれに隣接する側壁６３に対し斜角に配置されている。
【００３３】
溝部６８および舌片６９は、図１乃至図９に示す組付け要素１０を参照して上述したと同じ方法で、一つの組付け要素６０上の舌片６９が別のこの種組付け要素６０の溝部６８内に開放可能な拘束係合で位置させ得るように寸法付けられている。
【００３４】
好適には、図１０乃至図１２に示す組付け要素６０の側壁６３、突出部６４、内側リブ６５、溝部６８および舌片６９は、図１乃至図９に示す組付け要素１０の側壁１３、突出部１４、内側リブ１５、溝部１８および舌片１９の寸法に対して、八角形組付け要素６０が四角形組付け要素１０と側部対側部および頂部対底部の双方で相互連結され得るように寸法付けられ、これにより融通性の組付け要素１０、６０セットが提供される。四角形組付け要素１０の各舌片１９は八角形組付け要素６０のいずれの溝部６８内にも解放可能な拘束係合で相互連結されることができ、一方八角形組付け要素６０の各舌片６９は四角形組付け要素１０のいずれの溝部１８内にも解放可能な拘束係合で相互連結されることができる。
【００３５】
図１３Ａおよび図１３Ｂに、四角形組付け要素１０の舌片１９が八角形組付け要素６０の溝部６８内に位置するよう、組付け要素６０に対し側部対側部で相互連結された組付け要素１０を示す。図１３Ａには、更に、相互連結された組付け要素１０，６０の固定的相対配置、すなわち、舌片１９の末端部分２３が溝部１８のベース領域に位置する際に舌片１９の圧縮で付与される摩擦係合の度合いによって達成される固定的相対配置を示すが、ここで、八角形組付け要素６０はその係合側壁６３の頂部６１を四角形組付け要素１０の係合側壁１３の頂部１１よりも高く配置されている。図１乃至図９を参照して先に指摘したように、舌片１９の末端部分２３が溝部１８のベース領域に位置する際に舌片１９の圧縮によって付与される摩擦係合の度合は、また、一方の四角形組付け要素１０の舌片１９が八角形組付け要素６０の溝部６８内で円滑に滑動されることにより、係合組付け要素１０，６０の固定的相対配置が正確に変動され得るように設定されている。
【００３６】
図１４を参照すると、八角形組付け要素７０の大形実施例が、図１乃至図９に係る四角形組付け要素１０と組付け要素セットに結合されている。大形八角形組付け要素７０の各側壁７１は同一長さで一つの溝部７２と一つの舌片７３を含む。八角形組付け要素７０の頂部７４は円筒状突出部７５を含む。八角形組付け要素７０の底部は開放されている。八角形組付け要素７０の内側は、別のこの種組付け要素７０の頂部上の突出部７５と解放可能な摩擦係合で相互連結するよう配置されたアクセス可能なリブを含む。代案実施例（不図示）では、大形八角形組付け要素７０の頂部７４は複数の円筒状突出部を含み、一方、大形八角形組付け要素７０の内側は、別のこの種組付け要素７０の頂部上の複数の突出部と解放可能な摩擦係合で相互連結するよう配置されたアクセス可能な組合わせリブを含む。
【００３７】
溝部７２および舌片７３は、図１乃至図９に示す組付け要素を参照して上述したと同じ方法で、一つの組付け要素７０上の舌片７３が別のこの種組付け要素７０の溝部２内に解放可能な拘束係合で位置され得るように寸法付けられている。
【００３８】
好適には、大形八角形組付け要素７０の側壁７１、突出部７５、内側リブ、溝部７２および舌片７３は、図１乃至図９に示す組付け要素１０の側壁１３、突出部１４、内側リブ１５、溝部１８および舌片１９の寸法に対して、大形八角形組付け要素７０が四角形組付け要素１０と側部対側部および頂部対底部の双方で相互連結され得るように寸法付けられ、これにより融通性の組付け要素１０、７０セットが提供される。四角形組付け要素１０の各舌片１９は大形八角形組付け要素７０のいずれの溝部７２内にも解放可能な拘束係合で相互連結されることができ、一方、大形八角形組付け要素７０の各舌片７３は四角形組付け要素１０のいずれの溝部１８内にも解放可能な拘束係合で相互連結されることができる。
【００３９】
図１４は、大形八角形組付け要素７０と側部対側部で相互連結された四角形組付け要素１０を示し、四角形組付け要素１０の舌片１９は八角形組付け要素６０の溝部７２内に位置し、一方、大形八角形組付け要素７０の舌片７３は四角形組付け要素１０の溝部１８内に位置している。
【００４０】
図１５乃至図１７を参照すると、本発明に係る小形組付け要素８０の好適実施例は、頂部８１、底部８２および四つの側壁８３を含む。組付け要素８０の頂部８１は円筒状突出部８４を含み、一方、組付け要素８０の底部８２は開放されている。四つの側壁８３は四角形を画定する。
【００４１】
小形組付け要素８０の内側側壁８６は、組付け要素８０の開放底部８２からアクセス可能で且つ別のこの種小形組付け要素８０の頂部上の突出部８４と開放可能な摩擦係合で相互連結されるよう配置されている。
【００４２】
一方の側壁８３対は溝部８８を含んで舌片を含まずまた他方の側壁８３対は舌片８９を含んで溝部を含まない。溝部８８および舌片８９は、図１乃至図９に示す組付け要素１０を参照して上述したと同じ方法で、一つの小形組付け要素８０上の舌片８９が別のこの種小形組付け要素８０の溝部８８内に開放可能な拘束係合で位置され得るように寸法付けられている。
【００４３】
小形四角形組付け要素８０の一好適実施例では、図１８に示すように、小形組付け要素８０の側壁８３、溝部８８および舌片８９は、図１０乃至図１２に示す組付け要素６０の側壁６３、溝部６８および舌片６９の寸法に対して、八角形組付け要素６０が小形四角形組付け要素８０と側部対側部で相互連結され得るように寸法付けられ、これにより融通性の組付け要素６０，８０セットが提供される。小形四角形組付け要素８０の各舌片８９は八角形組付け要素６０のいずれの溝部６８内にも解放可能な拘束係合で相互連結されることができ、一方、八角形組付け要素６０の各舌片６９は小形四角形組付け要素８０のいずれの溝部８８内にも解放可能な拘束係合で相互連結されることができる。
【００４４】
図１８は、四つの異なる八角形組付け要素６０と側部対側部で相互連結された小形四角形組付け要素８０を示し、小形四角形組付け要素８０の舌片８９は二つの異なる八角形組付け要素６０の溝部６８内に位置し、一方、二つの異なる八角形組付け要素６０の舌片６９は小形四角形組付け要素８０の溝部８８内に位置している。四つの八角形組付け要素６０は互いに側部対側部で相互連結されて閉ループを形成し、一方、小形四角形組付け要素８０は四つの八角形組付け要素６０とその閉ループ内において側部対側部で相互連結されることは留意される。
【００４５】
小形四角形組付け要素８０の別の好適実施例では、図１９に示すように、小形組付け要素８０の側壁８３、溝部８８および舌片８９は、図１乃至図９に示す組付け要素１０の側壁１３、溝部１８および舌片１９の寸法に対して、一対の小形四角形組付け要素８０が互いに且つ四角形組付け要素１０と側部対側部で相互連結され得るように寸法付けられ、これにより融通性の組付け要素１０，８０セットが提供される。小形四角形組付け要素８０の各舌片８９は四角形組付け要素６０のいずれの溝部１８内にも解放可能な拘束係合で相互連結されることができ、一方四角形組付け要素１０の各舌片１９は小形四角形組付け要素８０のいずれの溝部８８内にも解放可能な拘束係合で相互連結されることができる。
【００４６】
図１９は、二つの小形四角形組付け要素８０であって、互いに且つ大形四角形組付け要素１０の一側部と側部対側部で相互連結された二つの小形四角形組付け要素８０を示し、一つの小形四角形組付け要素８０の舌片８９は大形四角形組付け要素１０の溝部１８内に位置し、大形四角形組付け要素１０の舌片１９は別の両小形四角形組付け要素８０の溝部８８内に位置し、別の小形四角形組付け要素８０の舌片８９は一つの両小形小形四角形組付け要素８０の溝部８８内に位置している。
【００４７】
隣接側壁の、八角形組付け要素６０の側壁６３のような斜角配置は、本発明の種々の組付け要素の相互連結に際して更に多様の組立ての構成を可能とする。例えば曲線的な角部効果が、図２０に示す八角形組付け要素６０の形状によって達成されることができる。
【００４８】
斜角配置された隣接側壁を有する組付け要素は、本発明によって無制限に変化される。例えば、図２１は、側壁９１が三角形を画定する組付け要素９０を示し、また図２２は、側壁９６が非方形の平行四辺形を画定する組付け要素９５を示す。三角形組付け要素９０および非方形−平行四辺形組付け要素９５は、別の点では、図１乃至図８を参照して上述した組付け要素１０と同じ特徴を有する。
【００４９】
側部対側部で開放可能な拘束係合に相互連結されることができる玩具組付け要素セットは、それぞれに溝部および舌片を含む一対の隣接側壁が第一斜角で互いに配置されている組付け要素６０のような第一組付け要素と、それぞれに溝部および舌片を含む一対の隣接側壁が、第一斜角とは異なる第二斜角で互いに配置されている組付け要素９０または９５のような第二組付け要素とを含むことができる。
【００５０】
本発明に係る組付け要素セットに含まれる上記種々の組付け要素の代案実施例において、舌片は、図２３に示す四角形組付け要素の舌片９１a のように、分離ではなくむしろ固体である。これら固体舌片の実施例の幾つかにおいて、舌片および溝部を画定する組付け要素の材料は可撓性でありおよび／または溝部は、図９を参照して上述したように側壁の可撓性部分で画定され、これにより溝部の入口開口は、舌片が前方から溝部内へ押圧される際に係合を容易にするよう横方向へ膨脹されることができる。この固体−舌片組付け要素は、別の点では、図１乃至図８を参照して上述した組付け要素１０と同じ特徴を有する。
【００５１】
図２４乃至図２６を参照すると、本発明に係る組付け要素１００の好適実施例は、頂部１０１、底部１０２および複数の側壁１０３を含む。頂部１０１は平面的配列の円筒状突出部１０４を含み、一方底部１０２は開放されている。組合わせリブ１０６が、開放底部１０２からアクセス可能で、別のこの種組付け要素１００の頂部上の一つまたはそれ以上の突出部１０４と開放可能な摩擦係合で相互連結される。図示する組付け要素１００は比較的方形の横断面を有するが、この組付け要素１００の横断面は、他方より一方へ長く更には四角形よりは別の、例えば円形、半円または四分円形等であってよい。また、組付け要素の頂部は、図示するよりは異なる数および／または配列の円筒状突出部１０４を含むことができる。
【００５２】
別の代案実施例（不図示）においては、図２４乃至図２６に示すと相対的に同サイズの組付け要素が、図１乃至図９に示す組付け要素におけるような単一の実質的大形の円筒状突出部を含むと共に、その内面が、図３に示すようなリブであって、別のこの種組付け要素の頂部上の突出部と解放可能な摩擦係合で相互連結されるリブを含む。この代案実施例によれば、図２４乃至図２６に示す組付け要素の二倍の長さの組付け要素が、二つのこの種大形円筒状突出部を有する。
【００５３】
一好適実施例においては、図２４乃至図２６に示す組付け要素１００の側壁１０３、溝部１０８および舌片１０９および／または突出部１０４および内側リブ１０５が、図１乃至図９に示す組付け要素１０の側壁１３、突出部１４、内側リブ１５、溝部１８および舌片１９の寸法に対して、八角形組付け要素６０が四角形組付け要素１０と側部対側部および／または頂部対底部の双方で相互連結され得るように寸法付けられ、これにより融通性の組付け要素１０，１００セットが提供される。
【００５４】
図２４乃至図２６に示す好適実施例において、組付け要素１００の各側壁１０３は複数の溝部１０８および複数の舌片１０９を含む。別の点では、組付け要素１００は、図１乃至図９を参照して上述した組付け要素１０と同じ特徴を有する。
【００５５】
代案実施例（不図示）において、図２４乃至図２６に示す組付け要素の舌片は、図２３を参照して上述したように、固体である。
【００５６】
図２７を参照すると、組付け要素１００の側壁１０３の上部および内部における複数の舌片１０９および複数の溝部１０８のそれぞれの配置は、一つの組付け要素１００の一つの側壁１０３が、二つの別の組付け要素１００の各側壁１０３に対し、各対の相互連結された組付け要素１００の間の少なくとも二つの舌片対溝部係合を介して相互連結され得るように構成され、これにより各対のこの種相互連結された組付け要素１００の間の相互連結が向上されていることが分かる。
【００５７】
本発明に係る所定形式の複数の組付け要素を含むセットは、異なる側壁の幅対高さのアスペクト比を有する組付け要素を含むことができる。例えば、図２４乃至図２６に示す、各組付け要素の各側壁が同じ幅からなる組付け要素形式のセットにおいて、幾つかの組付け要素の側壁は幾つかの別の組付け要素の側壁の高さの二倍の高さを有する。
【００５８】
代案実施例（不図示）においては、（ａ）舌片および溝部の延在は垂直である必要はなく、また舌片以外の突出部を溝部以外の受部内へ圧入することにより、本発明に係る組付け要素の側壁間の解放可能な拘束係合を達成することができ、（ｂ）従来技術等の、説明した以外の連結手段が、組付け要素の頂部を別の組付け要素の底部に解放可能な摩擦係合で相互連結するために含まれ、（ｃ）説明した一つまたはそれ以上の異なる形式の組付け要素の側壁および／または舌片および溝部は、説明した一つまたはそれ以上の異なる形式の組付け要素と側部対側部で相互連結されるようには寸法付けられておらず、および／または（ｄ）一つまたはそれ以上の異なる形式の組付け要素の頂部対底部連結手段は、異なる形式の組付け要素と頂部対底部で相互連結されるようには形状付けおよび／または寸法付けられていない。
【００５９】
ここで特別に説明した利点が、本発明の想定される各実施態様に必ずしも適用される必要はない。更に、このような本発明の利点は単なる例示であってこれのみが本発明の利点であると理解さるべきではない。
【００６０】
また、上記説明には多くの規定が含まれるが、これらは本発明の範囲を限定するものではなくむしろ好適実施例を例示するものと理解さるべきである。別の変形が可能であり、そして本発明の範囲は、上記実施例によってではなくむしろ請求の範囲およびその法的等価によって決定さるべきものである。
【図面の簡単な説明】
【図１】  本発明に係る組付け要素の好適実施例を示す頂部および両側面斜視図である。
【図２】  図１に示す組付け要素の平面図である。
【図３】  図１に示す組付け要素の底面図である。
【図４】  図１に示す組付け要素の一好適実施例に係る溝部を含む側壁の舌片および部分の間における、この種一つの組付け要素の舌片の末端部分がこの種別の組付け要素の溝部のベース領域に位置する際の摩擦係合を示す拡大部分平面図である。
【図５】  図１に示す組付け要素の別の好適実施例に係る溝部を含む側壁の舌片および部分の間における、この種一つの組付け要素の舌片の末端部分がこの種別の組付け要素の溝部のベース領域に位置する際の摩擦係合を示す拡大部分平面図である。
【図６】  図１に示す二つの組付け要素間の相互連結における、舌片の一側部が溝部の一側部に始めて接触した際の所期段階を示すと共に、当該舌片の一側部および溝部の一側部の横方向輪郭をも示す拡大部分平面図である。
【図７】  図１に示す組付け要素の部分側面図であって、舌片および溝部入口開口の相対支配幅と舌片および側壁頂部近傍の溝部入口開口の相対幅とをより良く説明すべく拡大且つ一部誇張した部分側面図である。
【図８】  図１の組付け要素の一代案実施例を示す部分側面図であって、舌片および溝部入口開口の相対支配幅と舌片および側壁頂部近傍の溝部入口開口の相対幅とをより良く説明すべく拡大且つ一部誇張した部分側面図である。
【図９】  図１に示す組付け要素の一代案実施例における、部分的に押圧された可撓性側壁で画定された溝部を示す拡大部分平面図である。
【図１０】  本発明に係る組付け要素の、側壁が八角形を画定する別の好適実施例を示す頂部および両側面斜視図である。
【図１１】  図１０に示す組付け要素の平面図である。
【図１２】  図１０に示す組付け要素の底面図である。
【図１３Ａ】  図１に係る組付け要素が図１０に示す形式の組付け要素に相互連結された組付け要素対を示す側面図でる。
【図１３Ｂ】  図１３Ａに示す組付け要素対を示す平面図である。
【図１４】  本発明に係る八角形組付け要素の別の好適実施例に相互連結された、図１に係る組付け要素を示す平面図である。
【図１５】  本発明に係る組付け要素の別の好適実施例を示す頂部および両側面斜視図である。
【図１６】  図１５に示す組付け要素の平面図である。
【図１７】  図１５に示す組付け要素の底面図である。
【図１８】  図１に係る複数の組付け要素が、互いに且つ図１５に係る組付け要素に相互連結された組付け要素対を示す側面図でる。
【図１９】  図１に係る組付け要素の一側部が、図１５に係る相互連結された一対の組付け要素に相互連結された組付け要素対を示す平面図でる。
【図２０】  図１０に係る、相互連結された組付け要素対を示す平面図である。
【図２１】  本発明に係る組付け要素の、側壁が三角形を画定する更に別の好適実施例を示す平面図である。
【図２２】  本発明に係る組付け要素の、側壁が非方形の平行四辺形を画定するまた更に別の好適実施例を示す平面図である。
【図２３】  図１に係る組付け要素の、本発明に係る組付け要素対に含むことができる代案実施例における舌片の特徴を示す平面図である。
【図２４】  本発明に係る組付け要素の別の好適実施例を示す頂部および両側面斜視図である。
【図２５】  図２４に示す組付け要素の平面図である。
【図２６】  図２４に示す組付け要素の底面図である。
【図２７】  図２４に係る一つの組付け要素対の一側壁と、図２４に係る二つの別組付け要素との相互連結を示す平面図である。
【図１】
0004922489.tif 000002
【図２】
0004922489.tif 000003
【図３】
0004922489.tif 000004
【図４】
0004922489.tif 000005
【図５】
0004922489.tif 000006
【図６】
0004922489.tif 000007
【図７】
0004922489.tif 000008
【図８】
0004922489.tif 000009
【図９】
0004922489.tif 000010
【図１０】
0004922489.tif 000011
【図１１】
0004922489.tif 000012
【図１２】
0004922489.tif 000013
【図１３Ａ】
0004922489.tif 000014
【図１３Ｂ】
0004922489.tif 000015
【図１４】
0004922489.tif 000016
【図１５】
0004922489.tif 000017
【図１６】
0004922489.tif 000018
【図１７】
0004922489.tif 000019
【図１８】
0004922489.tif 000020
【図１９】
0004922489.tif 000021
【図２０】
0004922489.tif 000022
【図２１】
0004922489.tif 000023
【図２２】
0004922489.tif 000024
【図２３】
0004922489.tif 000025
【図２４】
0004922489.tif 000026
【図２５】
0004922489.tif 000027
【図２６】
0004922489.tif 000028
【図２７】
0004922489.tif 000029